(57)【要約】【課題】開蓋が容易で刷毛や筆の付着塗料の量調整を行え、缶の周囲が汚れにくい塗料缶装置を提供する。【解決手段】耐薬品性の塗料缶１の開口部２にこれを密閉する耐薬品性の蓋体５を設け、該蓋体の蓋面周囲に塗料流出防止用の突起縁８を形成すると共に該突起縁で囲まれた蓋面に缶内への連通口１４を形成するプルオープン部９を設け、該突起縁の頂部８ａから該プルオープン部へ連続する該突起縁の内面を下方へ傾斜した塗料流下用の斜面１０に形成した。斜面とプルオープン部の間に部分的に該斜面よりも傾斜の緩やかな塗料調整用のブレード部１６を設け、プルオープン部は、その周囲が環状の破断溝１１に囲まれ、該プルオープン部には摘み片１２を有する。【選択図】図１
2004075145.tif 000002
【特許請求の範囲】
【請求項１】
耐薬品性の塗料缶の開口部にこれを密閉する耐薬品性の蓋体を設け、該蓋体の蓋面周囲に塗料流出防止用の突起縁を形成すると共に該突起縁で囲まれた蓋面に缶内への連通口を形成するプルオープン部を設け、該突起縁の頂部から該プルオープン部へ連続する該突起縁の内面を下方へ傾斜した塗料流下用の斜面に形成したことを特徴とする塗料缶装置。
【請求項２】
上記斜面とプルオープン部の間に部分的に該斜面よりも傾斜の緩やかな塗料調整用のブレード部を設けたことを特徴とする請求項１に記載の塗料缶装置。
【請求項３】
上記プルオープン部は、その周囲が環状の破断溝に囲まれ、該プルオープン部には摘み片を有することを特徴とする請求項１又は２に記載の塗料缶装置。
【請求項４】
上記塗料缶を耐薬品性の合成樹脂により成型し、上記蓋体を耐薬品性の合成樹脂で形成してこれに該塗料缶の開口部内に嵌入する突条を設け、該蓋体と開口部とを高周波溶着等により接合したことを特徴とする請求項１乃至３のいずれか１項に記載の塗料缶装置。
【請求項５】
上記蓋体に上記塗料缶の開口部の縁部と嵌合する嵌合溝を設けたことを特徴とする請求項１乃至３のいずれか１項に記載の塗料缶装置。
【請求項６】
上記蓋体上に着脱自在の外蓋を備えたことを特徴とする請求項１乃至５のいずれか１項に記載の塗料缶装置。
【発明の詳細な説明】
【０００１】
【発明の属する技術分野】
本発明は、刷毛や筆を用いて塗装、描画等を行うに適した塗料缶装置に関する。
【０００２】
【従来の技術】
従来、塗料缶内の塗料に直接に刷毛や筆を浸し、塗料缶の口縁で余分な塗料を刷毛等からぬぐい落としてから塗装作業することは、一般的に行われており、そのぬぐい落としを容易にするため該口縁に庇状のブレード部を設けることも行われている。
【０００３】
【発明が解決しようとする課題】
また、一般的な塗料缶は蓋が嵌合する開口の周囲に溝部を備えており、平ドライバーなどを蓋と溝部の間に差し込み、蓋を押し上げて開けているが、内部の塗料の乾燥硬化を防止するために蓋を密閉すると、上記のようなぬぐい落としにより縁部の溝内へ流入した塗料や塗料の移し変えの際に溝内へ流入した塗料が硬化し、蓋と缶が接着状態になって開蓋が面倒になる。また、ぬぐい落としの塗料が缶の外周へ流出し、塗料が無駄になると共に缶の周面が汚れる不都合があった。開口部に溝部のない缶では、塗料のぬぐい落としは困難で、外周への流出も多く、従来の蓋では密閉することも難しい。
【０００４】
本発明は、開蓋が容易で刷毛や筆の付着塗料の量調整を行え、缶の周囲が汚れにくく製作も容易な塗料缶装置を提供することを目的とするものである。
【０００５】
【課題を解決するための手段】
本発明では、上記の目的を達成するため、耐薬品性の塗料缶の開口部にこれを密閉する耐薬品性の蓋体を設け、該蓋体の蓋面周囲に塗料流出防止用の突起縁を形成すると共に該突起縁で囲まれた蓋面に缶内への連通口を形成するプルオープン部を設け、該突起縁の頂部から該プルオープン部へ連続する該突起縁の内面を下方へ傾斜した塗料流下用の斜面に形成した。該斜面とプルオープン部の間に部分的に該斜面よりも傾斜の緩やかな塗料調整用のブレード部を設けておくことで便利に使用でき、該プルオープン部は、その周囲を環状の破断溝で囲み、該プルオープン部には摘み片を有する構成とすることで製作が容易になる。また、該塗料缶を耐薬品性の合成樹脂により成型し、該蓋体を耐薬品性の合成樹脂で形成してこれに該塗料缶の開口部内に嵌入する突条を設け、該蓋体と開口部とを高周波溶着や接着剤により接合することにより、或いは、該蓋体に塗料缶の開口部の縁部と嵌合する嵌合溝を設けて嵌着する構成とすることで、上記目的は一層的確に達成できる。該蓋体上に着脱自在の外蓋を備えると開缶後の保管に便利になる。
【０００６】
【発明の実施の形態】
図面に基づき本発明の実施の形態を説明すると、図１において、符号１は開口の周縁にふちのない縁なし形の開口部２を持った耐薬品性の塗料缶、符号３は握り４を備えた該塗料缶１の提げ手を示す。
【０００７】
該塗料缶１の開口部２には、蓋体５が気密に取り付けられ、該蓋体５の上には外蓋１５が着脱自在に装着される。これら蓋体５や外蓋１５は、缶内に収容される塗料に侵されないような耐薬品性の材料が使用される。該蓋体５の内面には、図２及び図３に明示したような環状の突条６ａからなる嵌合手段６を設け、該突条６ａを開口部２の内面に沿うように進入させ、該蓋体５と開口部２との当接部を高周波溶着や接着剤により気密に接合し一体化する。
【０００８】
該蓋体５の蓋面７の周囲には、図２及び図３に示したように、塗料流出防止用の突起縁８を形成し、該突起縁８で囲まれた該蓋面７にプルオープン部９を設け、該突起縁８の頂部８ａからプルオープン部９の周辺まで、連続する塗料流下用の斜面１０を形成した。該プルオープン部９は環状の破断溝１１により囲まれ、その囲まれた面内に設けた摘み片１２を引き上げると、図４のように破断溝１１に沿ってプルオープン部９が破断し、刷毛や筆を缶内の塗料に浸漬するための連通口１４が蓋体５に形成される。該外蓋１５の下面には、図４に示したように、蓋体５の外周面に嵌合する凹部１３を形成し、連通口１４を開口したのちにこの外蓋１５を蓋体５に被せておくことで、塗料缶１内に残る塗料の乾燥硬化が防止できる。
【０００９】
該斜面１０とプルオープン部９の間には、該斜面１０の傾斜角よりも緩やかな傾斜を有する平面形状が略三日月形のブレード部１６を部分的に設け、刷毛等の形状や塗料の量を調整するようにした。
【００１０】
図示の装置で塗装等の作業を行う場合、外蓋１５を取り外し、蓋体５のプルオープン部９を引いて連通口１４を開け、そこから刷毛や筆を缶内の塗料に漬け、刷毛などに付着する塗料の量は、塗料流下用の斜面１０のエッジやブレード部１６で刷毛等を扱くことにより塗装や描画等に適した量に調整され、しごかれた余分の塗料は斜面１０を伝って缶内へ戻るから塗料の無駄がなくなる。また、突起縁８により塗料が缶の周面へ流出することがなくなるから、外周がきれいな状態で缶を扱え、塗料の硬化により外蓋１５の開蓋が妨げられることもない。蓋体５に斜面１０とプルオープン部９を設けたことで缶の密閉機能と上記塗料調整機能とを兼備でき、塗料調整のための特別の部材が不要になる。
【００１１】
図６乃至図１０は、本発明の他の実施例を示すもので、開口部２の周縁に縁部２ａを備えた耐薬品性の塗料缶１に、耐薬品性の蓋体５を取付け、更にその上に外蓋１５を着脱自在に嵌着した構成を有し、該蓋体５の下面外周には環状の嵌合溝６ｂからなる嵌合手段６を設けて該開口部２と嵌合させ、接着剤や高周波溶着などにより縁部２ａに該突条６ａ及び頂部８ａを気密に接合するようにした。この場合も外蓋１５を外し、摘み片１２を引き上げるとプルオープン部９が破断溝１１に沿って破断し、連通口１４が開く。
【００１２】
該塗料缶１及び蓋体５を構成する耐薬品性の材料には、塗料に侵されない合成樹脂や金属が使用される。また、塗料缶１と蓋体５は、接着剤や高周波溶着などの任意の方法により気密に接着される。
【００１３】
【発明の効果】
以上のように、本発明では、耐薬品性の塗料缶の開口部を密閉する耐薬品性の蓋体の蓋面周囲に塗料流出防止用の突起縁を形成すると共に該突起縁で囲まれた蓋面に缶内への連通口を形成するプルオープン部を設け、該突起縁の頂部から該プルオープン部へ連続する該突起縁の内面を下方へ傾斜した塗料流下用の斜面に形成したので、使用時にプルオープン部を開けたのちは缶を密閉していた蓋体を刷毛に付着する塗料の付着量調整のために利用でき、過剰の塗料は斜面から缶内へ流れて戻るので塗料の無駄がなくなり、缶の周面も汚れにくいためきれいに缶を取り扱え、塗料付着量調整のための特別の装置が不要であるから安価に提供できる等の効果があり、請求項２以下の構成とすることでより一層適切に本発明の目的を達成できる。
【図面の簡単な説明】
【図１】本発明の実施の形態を示す分解斜視図
【図２】図１の２−２線部分の断面図
【図３】プルオープン部の操作状態の説明図
【図４】図１の４−４線部分の断面図
【図５】使用状態の断面図
【図６】本発明の他の実施の形態を示す分解斜視図
【図７】図６の７−７線部分の断面図
【図８】図６の８−８線部分の断面図
【図９】図６の使用状態の断面図
【図１０】図６の使用状態の斜視図
【符号の説明】
１　塗料缶、２　開口部、５　蓋体、６　嵌合手段、６ａ　突条、７　蓋面、８突起縁、８ａ　頂部、９　プルオープン部、１０　斜面、１１　破断溝、１２摘み片、１３　凹部、１４　連通口、１５　外蓋、１６　ブレード部、
【図１】
2004075145.tif 000003
【図２】
2004075145.tif 000004
【図３】
2004075145.tif 000005
【図４】
2004075145.tif 000006
【図５】
2004075145.tif 000007
【図６】
2004075145.tif 000008
【図７】
2004075145.tif 000009
【図８】
2004075145.tif 000010
【図９】
2004075145.tif 000011
【図１０】
2004075145.tif 000012